(57)【要約】【課題】プラント監視装置において、オペレータの発する文章項目が予め登録した文章項目に一致しなくても、最適なプラント監視画面を表示する。【解決手段】プラントトラブル事象の発生原因となるプラントの挙動、例えば、主蒸気温度が高温になるとか、復水器の真空度が低下する等の挙動を表す技術用語をキーワードとして、オペレータの発する音声から当該キーワードを抽出し、当該キーワードをプラントトラブル事象毎に重み付けしてポイント値を設定し、プラントトラブル事象毎の累積ポイント値を求めて当該累積ポイント値が最大のプラントトラブル事象を監視画面として画面表示すると共に、当該画面に関するガイダンスを行う。【選択図】図１
2009140239.tif 000002
【特許請求の範囲】
【請求項１】
音声テキストからキーワードを抽出し、当該抽出したキーワードに基づいてプラント監視に最適な監視画面を選択表示するプラント監視装置において、
前記キーワードをプラントトラブル事象毎に重み付けしたポイント値とし、当該ポイント値を各プラントトラブル事象毎に累積加算した累積ポイント値が最大であるプラントトラブル事象をプラント監視画面とするプラント監視装置。
【請求項２】
請求項１のプラント監視画面は、オペレータが次に行うべき行動のガイダンスを含むプラント監視装置。
【請求項３】
請求項２のガイダンスは、音声であるプラント監視装置  
【請求項４】
請求項２乃至３のガイダンスは、ガイダンスを行うか否か選択可能であるプラント監視装置
【発明の詳細な説明】
【技術分野】
【０００１】
プラント監視に関する技術
【背景技術】
【０００２】
プラント監視装置における監視画面を選択する手法として、従来、オペレータのキーボードやタッチパネル操作に代えてオペレータの発した音声を認識し、当該音声に関連付けられた監視画面を推定し、表示優先度に応じて選択的に表示すること（特許文献１参照）や、オペレータの発した音声から表示や操作に関連性のある音声要素を抽出し、当該抽出された音声要素に基づいて表示すべき監視画面を推定して複数の候補を表示し、当該示された複数の候補の中から１をオペレータが選択して表示すること（特許文献２参照）が行われていた。
【特許文献１】特開２００１−１７５３２０号公報
【特許文献２】特開２００２−９１５５４号公報
【発明の開示】
【発明が解決しようとする課題】
【０００３】
上記従来技術では、熟練していないオペレータは予め登録した文章が正確に発声されない虞があること、さらに、当該文章はオペレータの個性に依存すること等を勘案して、オペレータが必要と推測される画面の候補を複数を挙げて、過去の履歴などを参照して当該複数の候補について優先度を付して表示するので、最適な監視画面に迅速に到達することは困難であった。
【課題を解決するための手段】
【０００４】
本発明は上記課題を解決するために、プラント挙動を表す、例えば、「真空低」、「水蒸気温度高」、「冷却水流量低」等の挙動を表現する用語（以下「キーワード」という）を発することは、非熟練オペレータでも可能であるとの点に着目して、「トリップ」、「ランバック」等のプラントトラブル事象毎に「キーワード」を重み付けしたポイント値を設定し、オペレータが発したキーワードの累積ポイント値が最大となるプラントトラブル事象を監視最適画面としてモニタ部に表示すると共に、オペレータが次に行うべき行動のガイダンスを行う。
【発明の効果】
【０００５】
本発明によれば、熟練していないオペレータでも、迅速的確に監視すべき画面の表示を行うことができ、しかも、次にとるべき行動のガイダンスを得ることができるので、プラント監視を安全的確に行うことができる。
【発明を実施するための最良の形態】
【０００６】
図１は本発明のシステム構成例を示す１実施例である。
当該システムは、音声入力装置１、データ処理装置２、及びヒューマンマシンインタフェース装置（以下、ＨＭＩ装置）３にて構成されている。
前記音声入力装置１は、オペレータ作業場所に設置した音声入力手段であるマイク部１Ａ、発した音声を電気信号として入力する音声変換手段１Ｂ、及び当該電気信号を音声テキストに変換する音声処理手段１Ｃにて構成される。
【０００７】
データ処理装置２は、キーワード処理手段２Ａ、プラントトラブル決定手段２Ｂ、及び事象キーワードＤＢ２Ｃにて構成される。
【０００８】
事象キーワードＤＢ２Ｃは、プラントにおいて発生する「トリップ」、「ランバック」等のプラントトラブル事象２Ｃ−１〜２Ｃ−ｎの発生に関与する全てのキーワードと、キーワードをプラントトラブル事象２Ｃ−１〜２Ｃ−ｎ毎に重み付けしてポイント値を設定した、キーワード／ポイントデータとを保持している。
当該キーワード／ポイントデータとは、例えば、あるキーワードＡは、プラントトラブル事象２Ｃ−１の発生に特有、又は頻繁に関与することから当該プラントトラブル事象２Ｃ−１においては高ポイント値となるが、他のプラントトラブル事象２Ｃ−ｎにおいては、必ずしも高ポイント値とは成らず、キーワードの特有性、頻度等に応じてポイント値を設定したデータである。
【０００９】
キーワード処理手段２Ａは、オペレータの音声がテキスト化された音声テキストを構文解析により単語を切り出し、当該切り出した単語と、事象キーワードＤＢ２Ｃに保存されているキーワードとを対比し、一致しているキーワードをそのポイント値と共にプラントトラブル事象２Ｃ−１〜２Ｃ−ｎ毎に記憶することを、当該切り出した全単語について行う。
【００１０】
プラントトラブル事象決定手段２Ｂは、一致しているキーワードのポイント値をプラントトラブル事象２Ｃ−１〜２Ｃ−ｎ毎に累積加算し、当該累積ポイントが最大のプラントトラブル事象２Ｃ−１〜２Ｃ−ｎをモニタ部３Ｃ−２、スピーカ部３Ｄ−２に出力すべきプラントトラブル事象２Ｃ−１〜２Ｃ−ｎに決定する。
【００１１】
ＨＭＩ装置３は、ＨＩＭ処理手段３Ａ、プラントトラブル事象画面／ガイダンスＤＢ３Ｂ、画像出力装置３Ｃ、及び音声出力装置３Ｄにて構成される。
【００１２】
ＨＭＩ処理手段３Ａは、プラントトラブル決定手段２Ｂにて決定されたプラントトラブル事象２Ｃ−１〜２Ｃ−ｎに対応する監視画像のデータ、及び、対応する行動指針が音声出力されるガイダンスデータを、プラントトラブル事象画面／ガイダンスＤＢ３Ｂから呼び出して、当該各データを画像出力装置３Ｃ、音声出力装置３Ｄに出力する。
【００１３】
画像出力装置３Ｃは、モニタ制御手段３Ｃ―１が当該監視画像のデータに基づいてモニタ部３Ｃ―２に監視画像を表示する。
また、音声出力装置３Ｄは、音声制御手段３Ｄ−１が当該ガイダンスデータに基づいてスピーカ部３Ｄ―２からガイダンスを音声出力する。
【００１４】
次に、オペレータが音声を発してから監視画面及びガイダンスを出力するまでの流れを図２のフローチャートに基づいて説明する。
ステップＳ１：オペレータの音声がマイク部１Ａを介して音声変換手段１Ｂで電気信号として取り込まれる。
ステップＳ２：当該電気信号として取り込まれた音声は、音声処理手段１Ｃにより音声のテキスト化が行われて音声テキストに変換される。
ステップＳ３：キーワード処理手段２Ａは、当該テキスト化された音声の中から、事象キーワードＤＢ２Ｃに保持されているキーワードを全て抽出する。
ステップＳ４：プラントトラブル事象決定手段２Ｂは、抽出されたキーワードのポイントをプラントトラブル事象２Ｃ−１〜２Ｃ−ｎ毎に累積加算し、当該累積ポイントが最大となるプラントトラブル事象２Ｃ−１〜２Ｃ−ｎを監視画像と決定する。
ステップ５：ＨＭＩ処理手段３Ａは、当該決定した監視画像、及び当該画像のガイダンスに関するデータを、プラントトラブル事象画面／ガイダンスＤＢ３Ｂから呼出してモニタ制御手段３Ｃ−１、音声制御手段３Ｄ−１に出力し、当該データに基づいてモニタ制御手段３Ｃ−１、音声制御手段３Ｄ−１は、各々、モニタ部３Ｃ−２に監視画像の表示、スピーカ部３Ｄ−２からのガイダンスを行う。
【００１５】
次に、図３に基づいてプラントトラブル事象の決定を説明する。
ステップＳ２１：キーワードとして「主蒸気温度高」、「真空低」、「冷却水量低」等が音声テキストから抽出される。
ステップＳ２２：トリップ（プラントトラブル事象）、ランバック（プラントトラブル事象）における前記キーワードのポイント、すなわち、前者では、主蒸気温度高が８０ポイント、真空低が２０ポイント、後者では、真空低が９０ポイント、冷却水量低が３０ポイントとして記憶される。
ステップＳ２３：トリップ（プラントトラブル事象）の累積ポイント値ランバック（プラントトラブル事象）の累積ポイント値、すなわち、前者は１００ポイント、後者は１２０ポイントが算出される。
ステップＳ２４：オペレータの音声が入力されているか否かが判定され、当該判定が入力されているＹＥＳ判定のときはステップＳ２１に戻り前記ステップを繰り返し、ＮＯ判定のときはステップＳ２５に進む。
ステップＳ２５：プラントの挙動は全て認識済みと判断して最大累積ポイントのランバック（プラントトラブル事象）が検出され、当該ランバックがプラントトラブル事象として決定される。
【００１６】
前記実施例によると、以下の効果を奏する。
音声項目が予め登録されたキーワードと一致しなくても、複数のキーワードを含む音声を発することでオペレータに最適なガイダンス、プラント監視画面に迅速に到達することができる効果を奏する。
さらに、ガイダンスによりオペレータが次にとるべき行動が示されるため、熟練度不足による誤操作を防止することができるので、プラントの安全性が向上する効果も有する。
【００１７】
なお、変形例として、
音声入力装置１、データ処理装置２、ＨＭＩ装置３及び音声出力装置４を一体的に形成した装置であっても良い。
また、ガイダンスはオペレータの必要度に応じて、ガイダンスを行うか否かの選択手段を備えても良い。
【産業上の利用可能性】
【００１８】
プラント装置を監視するものであるなら、技術分野に限らずに適用可能である。
【図面の簡単な説明】
【００１９】
【図１】本発明の一実施例であるプラント監視装置の全体構成図
【図２】本発明の一実施例における音声認識処理フロー図
【図３】本発明の一実施例における具体例を用いた事象決定のフロー図
【符号の説明】
【００２０】
１  音声入力装置
１Ａ  音声入力手段
１Ｂ  音声変換手段
１Ｃ  音声処理手段
２  データ処理装置
２Ａ  キーワード処理手段
２Ｂ  プラントトラブル事象決定手段
２Ｃ  事象キーワードＤＢ
３  ヒューマンマシンインターフェース（ＨＭＩ）装置
３Ａ  ＨＩＭ処理手段
３Ｂ  プラントトラブル事象画面／ガイダンスＤＢ
３Ｃ  画像出力装置
３Ｃ−１  モニタ制御手段
３Ｃ−２  モニタ部
３Ｄ  音声出力装置
３Ｄ−１  音声制御手段
３Ｄ−２  スピーカ部
【図１】
2009140239.tif 000003
【図２】
2009140239.tif 000004
【図３】
2009140239.tif 000005